(57)【要約】【課題】高圧蒸気滅菌時に蒸気加熱により接続部の変形およびそれに伴い上部キャップの底面（天面部自体）の変形を防止し、血液の泡立ちによる血液の凝固がなく、該変形で起こる品質への信頼低下のないエアトラップチャンバ上部キャップの提供。  【解決手段】本発明のエアトラップチャンバ上部キャップは、血液を体外循環させて処理する血液回路の途中に設置されるエアトラップチャンバ１において、該チャンバの上部キャップ４の天面外側に有する複数の接続部７が壁８で固定されている。また複数の接続部７、７間を固定する壁８は直線状又は／及び湾曲状からなり、かつ壁８は複数であってもよい。更に壁８はブリッジ状であってもよい。 【選択図】  図１
2010119561.tif 000002
【特許請求の範囲】
【請求項１】
血液を体外循環させて処理する血液回路の途中に設置されるエアトラップチャンバにおいて、該チャンバの上部キャップの天面外側に有する複数の接続部が壁で固定されていることを特徴とするエアトラップチャンバ壁付き上部キャップ。
【請求項２】
複数の接続部間を固定する壁は直線状又は／及び湾曲状からなり、かつ壁は複数であってもよいことを特徴とする請求項１に記載のエアトラップチャンバ壁付き上部キャップ。
【請求項３】
壁はブリッジ状であることを特徴とする請求項１又は請求項２に記載のエアトラップチャンバ壁付き上部キャップ。
【発明の詳細な説明】
【技術分野】
【０００１】
本発明は、人工透析のように体外循環によって血液処理を行うときに用いられる血液回路に設置されているエアトラップチャンバに関し、更に詳しくはエアトラップチャンバの上部に設けられる、いわゆる上部キャップに関するものである。
【背景技術】
【０００２】
従来、血液回路に設置されるエアトラップチャンバ２には、血液が流入するメインチューブ、圧力モニターライン、液面調整ライン、生食の補液ライン、抗凝固剤や増血剤等の薬剤投与のためのラインやアクセスポートが接続部７に接続されている。図６のａ、図６のｂに示されるように、それらのラインやアクセスポートは、エアトラップチャンバ２のキャップ４の天面部やエアトラップチャンバの本体３の側面部に設けられている接続部に固定・取り付けが行われている（例えば、特許文献１、特許文献２参照）。このようなエアトラップチャンバを有する血液回路は医療器具の一種であるので、滅菌してから人や動物に使用されている。
【特許文献１】特開昭６２-１８１０５４号公報（公報第１頁右欄背景技術１行〜８行、図２）
【特許文献２】特開２００５-９５２３０（図１、図２）
【発明の開示】
【発明が解決しようとする課題】
【０００３】
しかしながら、前述のように血液回路は、回路中にエアトラップチャンバを有しており、これらはポリ塩化ビニール等樹脂で成形されており、しかも血液回路の滅菌はほとんど高圧蒸気滅菌が採用されているため、滅菌時には蒸気加熱されるので、変形されやすくなる。特にエアトラップチャンバの上部キャップには、メインチューブ、圧力モニターライン、液面調整ライン、生食の補液ライン、抗凝固剤や増血剤等の薬剤投与のための各種ラインやアクセスポート（以下、メインチューブ、各種ライン、アクセスポートを総称した場合、被接続部という。）が接続されているので、被接続部の接続により上部キャップの接続部には、被接続部の自重による負荷が掛かっている。そのため接続部が変形しやすくなっており、高圧蒸気滅菌時の蒸気加熱により接続部が変形してしまう恐れがある。この接続部の変形が起こると、被接続部が折れ曲がり、ラインの内腔が歪んで小さくなり、補液や薬剤投与がスムーズにできなくなったり、メインチューブが折れ曲がったりすることで血液の流れを遮断したり、血液の流れが変わり、血液はエアトラップチャンバの意図した位置へ流れず、その結果血液の泡立ちが増えて血液が凝固しやすくなったりするばかりでなく、更には各種ラインや特にアクセスポート等を直結した場合などは、自重による負荷がかかり上部キャップの接続部は傾き、それに伴い上部キャップの底面（天面部自体）が変形する。この傾きや変形は見た目も悪く、品質への信頼低下を惹起する恐れがあるという問題があった。
【０００４】
そこで、本発明者は、上記の問題点について種々検討したところ、高圧蒸気滅菌時、蒸気加熱により接続部に接続された被接続部の自重による該接続部の変形およびそれに伴い上部キャップの底面（天面部自体）が変形するのを防止するには、接続部間に壁又はブリッジ等の補強部材を設けることによって解決されることを見出し、ここに本発明をなすに至った。
【０００５】
したがって、本発明が解決しようとする課題は、高圧蒸気滅菌時の蒸気加熱により接続部に接続された、被接続部の自重による該接続部の変形およびそれに伴い上部キャップの
底面（天面部自体）が変形するのを防止し、これら変形によって惹起される血液の流れの遮断や血液の流れの変わるのが防止されて血液の泡立ちによる血液の凝固がなく、前記変形で起こる見た目の悪さ、品質への信頼低下を惹起することのないエアトラップチャンバ上部キャップを提供することにある。
【課題を解決するための手段】
【０００６】
本発明の上記課題は、以下の各発明によってそれぞれ達成される。
（１）血液を体外循環させて処理する血液回路の途中に設置されるエアトラップチャンバにおいて、該チャンバの上部キャップの天面外側に有する複数の接続部が壁で固定されていることを特徴とするエアトラップチャンバ壁付き上部キャップ。
（２）複数の接続部間を固定する壁は直線状又は／及び湾曲状からなり、かつ壁は複数であってもよいことを特徴とする請求項１に記載のエアトラップチャンバ壁付き上部キャップ。
（３）壁はブリッジ状であることを特徴とする請求項１又は請求項２に記載のエアトラップチャンバ壁付き上部キャップ。
【発明の効果】
【０００７】
（１）本願発明の第１項に記載のエアトラップチャンバ上部キャップは、血液を体外循環させて処理する血液回路の途中に設置されるエアトラップチャンバにおいて、該チャンバの上部キャップの天面外側に有する複数の接続部が壁で固定されていることを特徴とするもので、このように複数の接続部が壁で固定されていることにより、高圧蒸気滅菌時の蒸気加熱により、被接続部で接続された接続部の変形およびそれに伴い上部キャップの底面（天面部自体）が変形することがなく、したがって、被接続部の自重による変形で起こる血液の流れの遮断や血液の流れの変わるのが防止されて血液の泡立ちによる血液の凝固がなく、これら変形による見た目の悪さ、品質への信頼低下のないという格別の効果を奏するものである。
【０００８】
（２）本願発明の第２項に記載のエアトラップチャンバ上部キャップは、前記第１項において、複数の接続部間を固定する壁は直線状又は／及び湾曲状からなり、かつ壁は複数であってもよいことを特徴とし、これにより壁の形状が違っても接続部は十分補強されて、高圧蒸気滅菌時の蒸気加熱によっても接続部の変形およびそれに伴い上部キャップの底面（天面部自体）の変形は起こらないという優れた効果を奏するものである。
【０００９】
（３）本願発明の第３項に記載のエアトラップチャンバ上部キャップは、前記第１項又は第２項において、壁はブリッジ状であることにより、接続部は十分補強され、高圧蒸気滅菌時の蒸気加熱によっても接続部の変形およびそれに伴い上部キャップの底面（天面部自体）の変形は起こらず、しかも樹脂原料が節約され、経済的であるという優れた効果を奏するものである。
【発明を実施するための最良の形態】
【００１０】
以下、本発明について図面を用いて具体的に説明するが、本発明は、以下に説明する具体的事例に限定されるものではない。図１は、本発明の壁付上部キャップを有するエアトラップチャンバを示す斜視図である。図２は、図１のエアトラップチャンバの壁付上部キャップを示す平面図である。図３は、図２におけるエアトラップチャンバの壁付上部キャップのＡ−Ａ′の一点鎖線で切断した断面図である。図４は、図３において、壁付上部キャップの内部構造が異なる別の実施形態におけるＡ−Ａ′の一点鎖線で切断した断面図である。図５のa乃至eは、図３の壁付上部キャップの接続部の一箇所に被接続部を接続した断面図である。図５のａはゴムボタンを、図５のｂはニードルレスアクセスポートを、図５のｃはロック式ニードルレスアクセスポートを、図５のｄはヒンジキャップ付きニードルレスアクセスポートを、図５のｅは蓋付きロック式ニードルレスアクセスポートをそれ
ぞれ接続した断面図である。なお、ゴムボタンは断面図が記載され、その他の被接続部は側面図が記載されている。図６のａは従来知られているエアトラップチャンバを示す斜視図であり、図６のｂは図６のａの平面図である。
【００１１】
図１、図２において、本発明のエアトラップチャンバ１は、円筒３の内部にフィルター６が設置され、前記円筒の上部には上部キャップ４を有し、下部には下部キャップ５を有している。上部キャップ４には、天面外部に上方に向かって接続部７１、７２、７３を有している。これらの接続部において、接続部７１と接続部７２、接続部７２と接続部７３及び接続部７３と接続部７１の間には、壁８が設けられ、これらの壁８により接続部７，７間は固定されており、高圧蒸気滅菌時の蒸気加熱によっても接続部の変形は起こらない。この壁８としては壁８１の外側のみ設けてもよい。また被接続部の重量がより大きいことで接続部の変形を防止効果を高める必要があるときは、壁８１を肉厚にすることで対処はできる。しかし、壁８１を肉厚にすることで射出成型後の樹脂の冷却時のヒケによる底面の変形が起こる恐れがあるので、より肉薄の壁８１及び壁８２を二重に設けることが好ましい。これにより接続部間は強固に固定され、接続部の変形が防止され、それに伴い上部キャップの底面（天面部自体）の変形をも防止する。またこれらの壁８は、断面からみて、直線状であってもまた湾曲上であってもよい。特に形状には限定されない。更に壁８は、ブリッジ状（図示していない。）に形成されてもよく、これにより強度には遜色なく、天面部と壁８間に空洞が形成されることにより原料樹脂が節約でき、経済的である。
【００１２】
図３は、図２におけるエアトラップチャンバの壁付上部キャップのＡ−Ａ′の一点鎖線で切断した断面図である。図４は、図３において、壁付上部キャップの内部構造が異なる別の実施形態におけるＡ−Ａ′の一点鎖線で切断した断面図である。図３、図４では、接続部７２と接続部７３は、壁８により強固に固定され、これら接続部７の長さが異なる場合には、例えば、接続部７２の上端まで壁８を設けるのがよい。
【００１３】
図５は、エアトラップチャンバの壁付上部キャップの接続部７３，７２に被接続部を接続した例を示した断面図であり、図５のａは、接続部７３にゴムボタン９を設けた断面図であり、接続部７３を使用しない場合に、エアトラップチャンバ内の圧力保持やゴミや塵埃の混入を防ぐために蓋をしておく場合である。図５のｂは、接続部の一箇所にニードルレスアクセスポート１０を接続したものであり、ニードルレスアクセスポート１０は側面図で記載されている。このニードルレスアクセスポート１０にシリンジ〈注射筒〉先端部を直接挿入する。  図５のｃは、接続部の一箇所にロック式ニードルレスアクセスポート１１を接続した場合であり、ロック式ニードルレスアクセスポート１１は、側面図で記載されている。このロック式ニードルレスアクセスポート１１は、ロック式シリンジ〈注射筒〉先端部を直接挿入し、ロックする。図５のｄは、接続部の一箇所にヒンジキャップ付きニードルレスアクセスポート１２を接続した場合であり、ヒンジキャップ付きニードルレスアクセスポート１２は側面図で記載されている。このヒンジキャップ付きニードルレスアクセスポート１２は、ヒンジキャップ１４を有し、ニードルレスアクセスポートによりシリンジ〈注射筒〉先端部を直接挿入しないとき、このヒンジキャップ１４は、塵埃の混入や万が一血液が漏れ出てきた場合に、これを防ぐカバーの役目を果たす。図５のｅは、蓋付きロック式ニードルレスアクセスポート１３を接続した場合であり、蓋付きロック式ニードルレスアクセスポート１３は、側面図で記載されている。この蓋付きロック式ニードルレスアクセスポート１３は、シリンジ〈注射筒〉先端部を直接挿入し、ロックしないとき、蓋１５をすることにより塵埃の混入を防ぐカバーの役目を果たす。
【産業上の利用可能性】
【００１４】
本発明のエアトラップチャンバ上部キャップは、接続部間を壁により固定したので、接続に被接続部を接続した後、高圧蒸気滅菌時の蒸気加熱によっても接続部の変形およびそれに伴い上部キャップの底面（天面部自体）が変形する恐れはなく、品質の向上したエア
トラップチャンバが得られるので、医療器具の分野に格別の貢献ができるものである。
【図面の簡単な説明】
【００１５】
【図１】本発明の壁付上部キャップを有するエアトラップチャンバを示す斜視図である。
【図２】図１のエアトラップチャンバの壁付上部キャップを示す平面図である。
【図３】図２におけるエアトラップチャンバの壁付上部キャップのＡ−Ａ′の一点鎖線で切断した断面図である。
【図４】図３において、壁付上部キャップの内部構造が異なる別の実施形態におけるＡ−Ａ′の一点鎖線で切断した断面図である。
【図５】図５のa乃至eは図３の壁付上部キャップの接続部の一箇所に被接続部を接続した断面図であり、図５のaの被接続部は断面図であり、図５のｂ乃至eの各被接続部は側面図である。図５のａは、被接続部はゴムボタンである本発明を示す断面図である。図５のｂは、被接続部はニードルレスアクセスポートである本発明を示す断面図である。図５のｃは、被接続部はロック式ニードルレスアクセスポートである本発明を示す断面図である。図５のｄは、被接続部はヒンジキャップ付きニードルレスアクセスポートである本発明を示す断面図である。図５のｅは、被接続部は蓋付きロック式ニードルレスアクセスポートである本発明を示す断面図である。
【図６】図６のａは、従来知られているエアトラップチャンバを示す斜視図である。図６のｂは、図６のａの平面図である。
【符号の説明】
【００１６】
１、２  エアトラップチャンバ
３  エアトラップチャンバ筒
４  上部キャップ
５  下部キャップ
６  フィルター
７、７１、７２、７３  接続部
７ａ、７ｂ  突起部
８、８１、８２  壁又はブリッジ
９  ゴムボタン
１０  ニードルレスアクセスポート
１１  ロック式ニードルレスアクセスポート
１２  ヒンジキャップ付きニードルレスアクセスポート
１３  蓋付きロック式ニードルレスアクセスポート
１４  ヒンジキャップ
１５  蓋
１６  メインチューブ
【図１】
2010119561.tif 000003
【図２】
2010119561.tif 000004
【図３】
2010119561.tif 000005
【図４】
2010119561.tif 000006
【図５】
2010119561.tif 000007
【図６】
2010119561.tif 000008